(57)【要約】【課題】被り物に内装して頭部全体を覆うことにより被り物による髪型の崩れを防止し、頭自体の保護も図ることができ、風の強い日に被り物で髪型を保護する場合に用いて好適であり、着用時の安定性と通気性に優れているので頭部が蒸れることもなく、使用者に応じてサイズの変更も可能な髪型崩れ防止具を提供する。【解決手段】連結片２乃至１４は、帯状をなし、長手方向に離間して複数の取付け穴２Ａ乃至１４Ａを形成した弾性を有するものからなる。各取付け穴に挿着する支持ピン１５、１６は植設自在になっている。各連結片２乃至１４を交差或いは重畳させることにより衝合する取付け穴２Ａ乃至１４Ａに支持ピン１５又は１６を挿装して複数の連結片２乃至１４を互いに連結することにより、複数の支持ピン１５、１６が内側に突出する略半球形の編み篭状に構成してある。【選択図】図１
2011219894.tif 000002
【特許請求の範囲】
【請求項１】
帯状をなし、長手方向に離間して複数の取付け穴を形成した弾性を有する複数の連結片と、前記各取付け穴に挿着することにより、該各連結片に植設自在な支持ピンとからなり、前記各連結片を交差或いは重畳させて衝合する前記取付け穴に該支持ピンを挿装して複数の連結片を互いに連結することにより、該複数の支持ピンが内側に突出する略半球形の編み篭状に構成し、被り物の内側に配設するようにしてなる髪型崩れ防止具。
【請求項２】
前記各連結片には、長手方向に沿って複数の取付け穴を形成してあることを特徴とする請求項１記載の髪型崩れ防止具。
【請求項３】
前記複数の支持ピンのうち、装着者の頭頂側及び前頭部側に当接する支持ピンは長尺にしてあることを特徴とする請求項１記載の髪型崩れ防止具。
【請求項４】
前記支持ピンは、棒体の基端を前記取付け穴より大径の膨出部とし、該膨出部から離間する基端側に前記連結片が嵌着する係合溝を形成し、先端側は略半球状に形成したものである請求項１記載の髪型崩れ防止具。
【発明の詳細な説明】
【技術分野】
【０００１】
本発明は、頭に被る帽子、スカーフ、ストール等（以下、これらを被り物と総称する。）の内側に設けることにより、頭が蒸れることなく被り物による或いは風による髪型の型崩れを防止でき、また落下物や転倒による怪我を防止することができる髪型崩れ防止具に関する。
【背景技術】
【０００２】
美容院等で髪型を整えた後や、風の強い日に被り物を被ると、頭髪が圧迫されて折角整えた髪形が崩れてしまうし、被り物のクセが付いてしまうという問題がある。また、暑い日に日除けのために被り物を被ると、頭部が蒸れて不快になるし髪型が崩れてしまうといった問題がある。
【０００３】
このような問題を解決する用具として、ヘアーバンドカチューシャ装身具が提案されている。このカチューシャ装身具は、カチューシャ本体の内側に直角に軟質のスティックを櫛目状に一列に埋め込んだもので、スティックによって支えられたカチューシャ本体と頭との空隙が頭髪に強い圧力が掛かるのを防ぐことを目的とするものである（特許文献１）。
【先行技術文献】
【特許文献】
【０００４】
【特許文献１】特開２００５−３１９２６３号公報
【発明の概要】
【発明が解決しようとする課題】
【０００５】
上述した従来技術は相応に有用であるが、カチューシャは頭部の前側上部に着用するもので頭部全体を覆うものではないため、被り物による髪型の型崩れは防止できないし、カチューシャの形態による理由から着用時の安定性に欠けるという欠点がある。また、特にボリューム感を持たせた髪型にカチューシャを使用すると、カチューシャは頭髪から浮いた状態になるため、極めて安定性に欠けるという欠点がある。
【０００６】
本発明は上述した従来技術の幾多の欠点に鑑みなされたもので、被り物に内装して頭部全体を覆うので被り物による髪型の崩れを防止できるし、頭自体の保護も図ることができ、風の強い日に被り物で髪型を保護する場合に用いて好適であり、着用時の安定性も優れており、また通気性に優れているので頭部が蒸れることもなく、しかも使用者の頭の大きさに応じてサイズの変更も可能な髪型崩れ防止具を提供することを目的とする。
【課題を解決するための手段】
【０００７】
上述した課題を解決するために構成した本発明の手段は、帯状をなし、長手方向に離間して複数の取付け穴を形成した弾性を有する複数の連結片と、前記各取付け穴に挿着することにより、該各連結片に植設自在な支持ピンとからなり、前記各連結片を交差或いは重畳させて衝合する前記取付け穴に該支持ピンを挿装して複数の連結片を互いに連結することにより、該複数の支持ピンが内側に突出する略半球形の編み篭状に構成し、被り物の内側に配設するようにしたものからなる。
【０００８】
そして、前記各連結片には、長手方向に沿って複数の取付け穴を形成するとよい。
【０００９】
また、前記複数の支持ピンのうち、装着者の頭頂側及び前頭部側に当接する支持ピンは長尺にするとよい。
【００１０】
また、前記支持ピンは、棒体の基端を前記取付け穴より大径の膨出部とし、該膨出部から離間する基端側に前記連結片が嵌着する係合溝を形成し、先端側は略半球状に形成したものにするとよい。
【発明の効果】
【００１１】
本発明は上述の如く構成したから、下記の諸効果を奏する。
（１）髪型崩れ防止具は、弾性を有する複数の連結片を支持ピンで連結して略半球形の編み篭状に編成し、内側に支持ピンが突出した構成にしたから、帽子等の被り物に確実に、また安定性よく内装できるし、装着者の頭にもフィットし、かつ突出する支持ピンによって頭髪の型崩れを防止することができる。
（２）各連結片には長手方向に沿って複数の取付け穴を形成したから、髪型崩れ防止具を軽量化して着用者の頭や首に掛る負担を軽くすることができる。
（３）取付け穴を選んで支持ピンで連結することにより、装着者が頭の大きさに合った大きさの髪型崩れ防止具に構成することが可能であり、大人も子供も着用できる。
（４）支持ピンを装着しない取付け穴は通気穴として機能するので、頭部の通気性を良好に保つことができるし、紐やゴム紐を取着して被り物に係着することもできる。
（５）複数の支持ピンのうち、頭部の頭頂側及び前頭部側に当接する支持ピンは長尺にしたから、髪型のうち特に型崩れを避けたい頭頂側及び前頭部側の部分の型崩れを確実に防止することができるし、髪型崩れ防止具は頭部に安定性よく被装することができると共に、歩行時の頭の揺れに対しても位置ずれすることがない。
（６）髪型崩れ防止具１は弾性を有する複数の連結片を支持ピンで連結して略半球形の編み篭状に編成してあり、全体に強度性と弾性があるので転倒時の緩衝体になるので頭を打ったり、怪我するのを防止することができる。
【図面の簡単な説明】
【００１２】
【図１】本願発明の実施の形態に係る髪型崩れ防止具の外観斜視図である。
【図２】髪型崩れ防止具の正面図である。
【図３】髪型崩れ防止具の平面図である。
【図４】髪型崩れ防止具の底面図である。
【図５】髪型崩れ防止具の背面図である。
【図６】髪型崩れ防止具の半断面図である。
【図７】連結片に挿着する支持ピンの説明図である。
【図８】髪型崩れ防止具の使用状態説明図である。
【発明を実施するための形態】
【００１３】
以下、本発明の実施の形態を図面に基づき詳述する。図において、１は髪型崩れ防止具を示す。２、３は該髪型崩れ防止具１を構成する２本の主連結片を示し、該各主連結片２（３）は例えば長さを約３２０ｍｍ、幅を約１５ｍｍに設定した帯状をなしており、長手方向に離間して１６個の取付け穴２Ａ（３Ａ）が形成してある。そして、２本の主連結片２、３は略中心部位で交差させ、衝合する取付け穴２Ａ、３Ａに後述する長尺支持ピン１５を挿装することにより略十字状に連結してある。
【００１４】
４、５は左右の側部連結片を示し、該各側部連結片４（５）は例えば長さを約２２５ｍｍ、幅を約１５ｍｍに設定した帯状をなしており、長手方向に離間して１１個の取付け穴４Ａ（５Ａ）が形成してある。そして、側部連結片４（５）は前端側４Ｂ（５Ｂ）を前記一方（他方）の主連結片２（３）の前端側２Ｂ（３Ｂ）に連結し、後端側４Ｃ（５Ｃ）を他方（一方）の主連結片３（２）の後端側３Ｃ（２Ｃ）に連結することにより、主連結片２、３及び側部連結片４、５は互いに張力が働いて湾曲状に屈曲した形状になっている。    
【００１５】
６、７は下端側６Ａ（７Ａ）が前記側部連結片４（５）の略中間に連結し、上端側６Ｂ（７Ｂ）が一方（他方）の主連結片２（３）の上部前側に連結する２本の側方前側連結片を示す。該各側方前側連結片６（７）は例えば長さを約１５０ｍｍ、幅を約１５ｍｍに設定し他帯状をなしており、長手方向に離間して７個の取付け穴６Ｃ（７Ｃ）が形成してある。
【００１６】
８、９は前記側方前側連結片６（７）と同形に形成し、長手方向に離間して取付け穴８Ａ（９Ａ）を形成した側方後側連結片で、該側方後側連結片８（９）は下端側８Ｂ（９Ｂ）が側方前側連結片６（７）と同軸に側部連結片４（５）に連結され、上端側８Ｃ（９Ｃ）が一方（他方）の主連結片２（３）の上部後側に連結している。
【００１７】
１０は前方連結片を示し、該前方連結片１０は例えば長さを約１７０ｍｍ、幅を約１５ｍｍに設定した帯状をなしており、長手方向に離間して８個の取付け穴１０Ａが形成してある。そして、前方連結片１０は主連結片２（３）が交差する位置で上端側１０Ｂが長尺支持ピン１５により一体に連結されており、下端側１０Ｃは後述する前側連結片１１、１２に一体に連結されている。
【００１８】
１１、１２は２本の前側連結片を示し、該各前側連結片１１（１２）は例えば長さを約１４５ｍｍ、幅を約１５ｍｍに設定した帯状をなしており、長手方向に離間して７個の取付け穴１１Ａ（１２Ａ）が形成してある。そして、一対の前側連結片１１、１２は中心を交差させ、前方連結片１０の下端側１０Ｃと同軸に長尺支持ピン１５により一体に連結してあり、両端側１１Ｂ（１２Ｂ）は主連結片２、３の前側に長尺支持ピン１５により連結されており、正面視で略Ｘ字状をなしている。
【００１９】
更に、１３、１４は２本の後部連結片を示す。該後部連結片１３、１４は例えば長さを約８０ｍｍ、幅を約１５ｍｍに設定した帯状をなしており、長手方向に離間して４個の取付け穴１３Ａ（１４Ａ）が形成してある。そして、一対の後部連結片１３、１４は内端側１３Ｂ、１４Ｂを互いに連結し、両外端側１３Ｃ、１４Ｃは一方（他方）の主連結片２（３）の後端側２Ｃ（３Ｃ）に連結してある。
【００２０】
そして、髪型崩れ防止具１を構成する主連結片２、３、側部連結片４、５、前方前側連結片６、７、側方後側連結片８、９、前方連結片１０、前側連結片１１、１２及び後側連結片１３、１４は、弾性を有する合成樹脂材によって成形してある。また、各連結片２乃至１４は、複数の取付け穴２Ａ・・・１４Ａを形成することにより髪型崩れ防止具１の軽量化を図ってあり、着用者の頭部や首に掛る負担を軽減してある。
【００２１】
１５、１５、・・・は前記連結片２乃至１４を連結する８本の長軸支持ピンを示す。該各支持ピン１５は、例えば長さが約３５ｍｍ、太さが約５ｍｍの弾性のある合成樹脂製の棒体１５Ａと、該棒体１５Ａの基端に前記取付け穴２Ａ乃至１４Ａより大径に形成した扁平状の膨出部１５Ｂと、該膨出部１５Ｂから離間して棒体１５Ａの基端側に周設した係合溝１５Ｃと、棒体１５Ａの先端側に形成した半球状の頭接部１５Ｄとから形成してある。
【００２２】
他方、１６、１６、・・・は９本の短軸支持ピンで、該各短軸支持ピン１６は長さ約２５ｍｍ、太さ約５ｍｍに設定してあり、軸方向長さは長軸支持ピン１５と異なるが、その形状は同様で、棒体１６Ａ、膨出部１６Ｂ、係合溝１６Ｃ，頭接部１６Ｄからなっている。また、１７は支持ピン１５、１６に嵌着した留め輪で、該留め輪１７はゴム等の弾性材からなり、支持ピン１５、１６に密に嵌着することにより連結片２乃至１４を押えるためのものにしてある。
【００２３】
本実施の形態に係る髪型崩れ防止具１は上述の構成からなり、前方連結片１０を中心にして左右対称で、全体として略半球状をなしており、各連結片２乃至１４の間は複数の空隙になっている。そして、図８に示すように、髪型崩れ防止具１は帽子Ａの内側に嵌装した状態で頭に装着するが、髪型を特に保護する必要のある頭頂及び前頭部側は長軸支持ピン１５、１５、・・・を内向きに突出させてあるから、頭髪に係止しながら髪型が型崩れすることのないようにしてある。
【００２４】
また、各連結片２乃至１４に形成した取付け穴２Ａ、・・・１４Ａのうち、支持ピン１５、１６を挿着しない取付け穴２Ａ、・・・１４Ａは通気穴として機能するから、頭部の通気性を確保ができるので夏季にも快適に使用することができる。
【００２５】
また、支持ピン１５、１６を挿着しない適宜の取付け穴２Ａ、・・・１４Ａの紐やゴム紐、留めピン等を取着して被り物に係着することにより、安定性を確実にすることもできる。
【００２６】
更に、支持ピン１５、１６は連結片２乃至１４に挿脱可能であるから、ボリュームのある髪型の場合や、使用者の頭部のサイズが大きい或いは小さい場合、また子供が使用する場合等、使用者の種々の状況に合わせて髪型崩れ防止具１の大きさを変えることができる。
【００２７】
なお、本実施の形態で示した各連結片２乃至１４の長さと幅、取付け穴２Ａ乃至１４Ａの数は例示であり、本発明の目的を達成しうる範囲で適宜設定できるものである。また、取付け穴２Ａ乃至１４Ａの数は、作図上の制約から明細書の記載と図面との間で必ずしも一致してはいない。
【符号の説明】
【００２８】
１      髪型崩れ防止具
２乃至１４    連結片
２Ａ乃至１４Ａ    取付け穴
１５    長尺支持ピン
１６    短尺支持ピン
【図１】
2011219894.tif 000003
【図２】
2011219894.tif 000004
【図３】
2011219894.tif 000005
【図４】
2011219894.tif 000006
【図５】
2011219894.tif 000007
【図６】
2011219894.tif 000008
【図７】
2011219894.tif 000009
【図８】
2011219894.tif 000010